(57)【特許請求の範囲】
【請求項１】
固定保持用の外枠と、
前記外枠に固定保持され、所定の遊技構成部材を装備した前枠と、
一端側に設けられたヒンジ機構により前記前枠に横開き開閉可能に取り付けられ、賞球を貯留して整列させる上球皿と、
前記上球皿における前記賞球と接触する位置に設けられ、帯電した前記賞球の電位を受け取るアース板金と、
前記前枠に設けられた外部接地用のアース端子とを備え、
前記上球皿の他端側に、前記上球皿と前記前枠との間に前記上球皿と前記前枠とをロック保持する第一ロック装置が設けられ、
前記上球皿の中央部に、前記上球皿と前記前枠との間に前記上球皿と前記前枠とをロック保持する第二ロック装置が設けられ、
前記第二ロック装置をロックすることにより前記アース板金と前記アース端子とが電気的に接続され、帯電した前記賞球の電位をアース電位に地絡可能に構成されていることを特徴とする弾球遊技機のアース接続機構。
【請求項２】
固定保持用の外枠と、
前記外枠に固定保持され、所定の遊技構成部材を装備した前枠と、
一端側に設けられたヒンジ機構により前記前枠に横開き開閉可能に取り付けられ、賞球を貯留して整列させる上球皿と、
前記上球皿における前記賞球と接触する位置に設けられ、帯電した前記賞球の電位を受け取るアース板金と、
前記前枠に設けられた外部接地用のアース端子とを備え、
前記上球皿の他端側に、前記上球皿と前記前枠との間に前記上球皿と前記前枠とをロック保持する第一ロック装置が設けられ、
前記上球皿の中央部に、前記アース板金に電気的に接続されて前記上球皿に設けられた可動部材と、前記アース端子に電気的に接続されて前記前枠に設けられた係合部材とで構成され、前記可動部材を移動させ前記係合部材に係合させて前記上球皿と前記前枠とをロック保持する第二ロック装置が設けられ、
前記第二ロック装置をロックすることにより前記アース板金と前記アース端子とが電気的に接続され、帯電した前記賞球の電位をアース電位に地絡可能に構成されていることを特徴とする弾球遊技機のアース接続機構。
【請求項３】
固定保持用の外枠と、
前記外枠に固定保持され、所定の遊技構成部材を装備した前枠と、
一端側に設けられたヒンジ機構により前記前枠に横開き開閉可能に取り付けられ、賞球を貯留して整列させる上球皿と、
前記上球皿における前記賞球と接触する位置に設けられ、帯電した前記賞球の電位を受け取るアース板金と、
前記前枠に設けられた外部接地用のアース端子とを備え、
前記上球皿の他端側に、前記上球皿と前記前枠との間に前記上球皿と前記前枠とをロック保持する第一ロック装置が設けられ、
前記上球皿の中央部に、前記アース板金に電気的に接続されて前記上球皿に設けられた係合部材と、前記アース端子に電気的に接続されて前記前枠に設けられた可動部材とで構成され、前記可動部材を移動させ前記係合部材に係合させて前記上球皿と前記前枠とをロック保持する第二ロック装置が設けられ、
前記第二ロック装置をロックすることにより前記アース板金と前記アース端子とが電気的に接続され、帯電した前記賞球の電位をアース電位に地絡可能に構成されていることを特徴とする弾球遊技機のアース接続機構。
【発明の詳細な説明】
【０００１】
【発明の属する技術分野】
本発明は、パチンコ機に代表される弾球遊技機のアース接続機構に関し、さらに詳しくは、弾球遊技機に設けられた前枠と、一端側に設けられたヒンジ機構により前枠に横開き開閉可能に取り付けられた上球皿との間に設けられたアース接続機構に関する。
【０００２】
【従来の技術】
パチンコ機に代表される弾球遊技機では、遊技球として鉄系合金を主体とした金属材料が使用される一方で、遊技球が移動する経路、例えば遊技施設側の遊技球供給装置における供給樋部材や、パチンコ機におけるタンク部材、賞球の給排出通路等にはＡＢＳ樹脂やポリアセタール樹脂、ポリカーボネート樹脂等の樹脂材料が多用されているため、遊技球がこれらの部材と接触し擦り合って移動する間に静電気を帯びやすく、また一旦帯電するとその電位を保持しやすいという特性がある。
【０００３】
一方、近年の弾球遊技機は、遊技の趣向性を向上させるため、いわゆるマイコン遊技機やデジタル遊技機といわれる遊技機が主流になっており、遊技機内部にマイクロプロセッサを搭載した主制御基板をはじめ、賞球制御基板、ランプ・音声制御基板、画像制御基板等の多種多様な回路基板が搭載されている。これら回路基板の電子回路は、一般的に高ピーク電圧のパルス状ノイズに弱く、何等の静電対策をも行わない場合には、遊技球に蓄積した静電気が絶縁破壊により気中放電して静電気ノイズを発生し、これに起因して制御上の誤動作を生じたり、回路に実装されたＩＣチップが破損するなど、種々の障害を発生するおそれがある。
【０００４】
このため、近年の弾球遊技機には、遊技球の電位があまり高くならないうちに電荷を放出させ、静電気を蓄積させないようにするアース装置が遊技球の移動経路に設けられている。例えば、賞球（遊技球）を貯留して整列させる上球皿にも、賞球（遊技球）と接触する位置にアース板金が設けられており、このアース板金にアース線を接続してアース端子と結線させる。これにより帯電した賞球（遊技球）の電位はアース電位に地絡される。
【０００５】
ところで、上球皿の裏側には球送り装置や発射レール、打球発射装置のハンマーヘッド部などが配設されおり、遊技中や終了後に各部の点検や調整を行う必要がある。このため、上球皿は前枠左側部に設けられたヒンジ機構で揺動開閉および着脱が自在に支持され、右側部に設けられたロック装置で閉鎖保持可能に取り付けられている。これにより、上球皿を前枠に対して横開き開放した状態で点検や調整等を行うことができる。
【０００６】
【発明が解決しようとする課題】
しかしながら、上球皿の開閉および着脱時において、アース板金とアース端子とを結線するのに必要なアース線の長さが変化するため、これらを考慮してアース線の長さに余裕を持たせる必要がある。そのため、上球皿の開閉および着脱時にアース線が撓み、上球皿を前枠に対して閉鎖状態にする際に、アース線が上球皿と前枠との間に挟まれて破損するおそれがあった。また、上球皿は遊技者に操作可能な状態で横方向に長く形成されており、遊技者が上球皿の中央部を撓ませて変形させ、遊技機を不正に操作するおそれもあった。
【０００７】
本発明は、このような問題に鑑みてなされたものであり、上球皿を故意に変形させて不正操作を行うことを防止することが可能な弾球遊技機のロック装置を提供するとともに、このロック装置を利用して簡潔なアース接続を行うことができるアース接続機構を提供することを目的とする。
【０００８】
【課題を解決するための手段】
このような目的達成のため、請求項１に記載の発明は、固定保持用の外枠と、外枠に固定保持され、所定の遊技構成部材を装備した前枠と、一端側に設けられたヒンジ機構により前枠に横開き開閉可能に取り付けられ、賞球を貯留して整列させる上球皿と、上球皿における賞球と接触する位置に設けられ、帯電した賞球の電位を受け取るアース板金（例えば、実施形態における球誘導レール６３や通出樋用アース板６６）と、前枠に設けられた外部接地用のアース端子とを備えた弾球遊技機において、上球皿の他端側に、上球皿と前枠との間に上球皿と前枠とをロック保持する第一ロック装置が設けられ、上球皿の中央部に、上球皿と前枠との間に上球皿と前枠とをロック保持する第二ロック装置が設けられる。そしてこの第二ロック装置をロックすることによりアース板金とアース端子とが電気的に接続され、帯電した賞球の電位をアース電位に地絡可能に構成される。
【０００９】
また、請求項２に記載の発明は、固定保持用の外枠と、外枠に固定保持され、所定の遊技構成部材を装備した前枠と、一端側に設けられたヒンジ機構により前枠に横開き開閉可能に取り付けられ、賞球を貯留して整列させる上球皿と、上球皿における賞球と接触する位置に設けられ、帯電した賞球の電位を受け取るアース板金（例えば、実施形態における球誘導レール６３や通出樋用アース板６６）と、前枠に設けられた外部接地用のアース端子とを備えた弾球遊技機において、上球皿の他端側に、上球皿と前枠との間に上球皿と前枠とをロック保持する第一ロック装置が設けられ、上球皿の中央部に、アース板金に電気的に接続されて上球皿に設けられた可動部材（例えば、実施形態における揺動部材８１）と、アース端子に電気的に接続されて前枠に設けられた係合部材（例えば、実施形態における係合ピン８１）とで構成され、可動部材を移動させ係合部材に係合させて上球皿と前枠とをロック保持する第二ロック装置が設けられる。そしてこの第二ロック装置をロックすることによりアース板金とアース端子とが電気的に接続され、帯電した賞球の電位をアース電位に地絡可能に構成される。
【００１０】
また、請求項３に記載の発明は、固定保持用の外枠と、外枠に固定保持され、所定の遊技構成部材を装備した前枠と、一端側に設けられたヒンジ機構により前枠に横開き開閉可能に取り付けられ、賞球を貯留して整列させる上球皿と、上球皿における賞球と接触する位置に設けられ、帯電した賞球の電位を受け取るアース板金（例えば、実施形態における球誘導レール６３や通出樋用アース板６６）と、前枠に設けられた外部接地用のアース端子とを備えた弾球遊技機において、上球皿の他端側に、上球皿と前枠との間に上球皿と前枠とをロック保持する第一ロック装置が設けられ、上球皿の中央部に、アース板金に電気的に接続されて上球皿に設けられた係合部材（例えば、実施形態における係合ピン２８１）と、アース端子に電気的に接続されて前枠に設けられた可動部材（例えば、実施形態における上下動部材２８１）とで構成され、可動部材を移動させ係合部材に係合させて上球皿と前枠とをロック保持する第二ロック装置が設けられる。そしてこの第二ロック装置をロックすることによりアース板金とアース端子とが電気的に接続され、帯電した賞球の電位をアース電位に地絡可能に構成される。
【００１１】
このように構成された弾球遊技機のアース接続機構によれば、上球皿の端部に第一ロック装置が設けられるのに加え上球皿の中央部にも第二ロック装置が設けられるため、上球皿の中央部を撓ませることが困難であることから、上球皿を故意に変形させて不正操作を行うことを防止することができる。また、第二ロック装置をロックすることによりアース板金とアース端子とが電気的に接続されるため、上球皿に設けられたアース板金にアース線を接続してアース端子と結線する必要がなくなり、簡潔にアース接続を行うことができる。
【００１２】
【発明の実施の形態】
以下、本発明の好ましい実施形態について添付図面を参照しながら説明する。また実施例では本発明に係る弾球遊技機の代表例としてパチンコ機を採り上げて説明する。まず、本発明が適用されるパチンコ機ＰＭについて、その概要構成を図１〜図３を参照して説明する。ここで、図１はパチンコ機ＰＭを正面から見た正面図、図２はパチンコ機ＰＭを裏面から見た背面図、図３は後述するガラス扉５および上球皿６を開いた状態におけるパチンコ機ＰＭの正面図を示している。なお、図２では遊技盤の裏面構成を記載省略している。
【００１３】
パチンコ機ＰＭは、外郭方形枠サイズに構成されて縦向きの固定保持枠を成す外枠１の開口前面に、これに合わせた方形枠サイズに構成されて開閉搭載用の前枠２が互いの正面左側上下に配設されたヒンジ部材３ａ，３ｂにより横開き開閉および着脱可能に取り付けられ、正面右側に設けられた施錠装置４を利用して外枠１と係合された閉鎖状態で遊技に供される。
【００１４】
前枠２の正面側には、前枠２の前側面域に合わせた方形状のガラス扉５が横開き開閉および着脱が可能に組付けられており、常には施錠装置４を利用して前枠２の前面を覆う閉止状態で保持される。さらに、遊技球を貯留して整列させる上球皿６が、左側部に設けられたヒンジ機構（詳細は後述する）により横開き開閉および着脱が可能に組付けられており、常には上球皿６の右側部に設けられた第一ロック装置７０および上球皿６の中央部に設けられた第二ロック装置８０（詳細は後述する）を利用して前枠２の前面を覆う閉止状態で保持される。前枠２の下部には下球皿７および遊技球の発射操作を行う操作ハンドル８が取り付けられている。
【００１５】
ガラス扉５の背後に位置する前枠２の裏面上部には、図示省略する方形枠状の収容枠が前枠２と一体に成形されており、この収容枠に所定のゲージ設定で構成された遊技盤２０が複数の係合レバー１７，１７…により着脱交換可能にセット保持されその前面域をガラス扉５に臨ませている。
【００１６】
遊技盤２０は、表面にセルが貼り付けられた化粧板２１の前面側に、帯状の外レール２２ａおよび内レール２２ｂが円弧状に固設され、この内側に遊技領域ＰＡが区画される。遊技領域ＰＡには多数本の遊技釘とともに、複数の風車２３、一般入賞具２４や始動入賞具２５並びに大入賞口２６などの入賞具、周囲に飾り部を有した図柄表示装置２８などが設けられ、遊技領域ＰＡの下端には入賞具に入賞せずに落下した遊技球を排出させるアウト口２７が設けられている。入賞具に落入した遊技球（「セーフ球」という）は、各入賞具に設けられた入賞球検出センサで検出され、化粧板２１を貫通するセーフ球通路孔を通って遊技盤２０の裏面側に排出される。また、アウト口２７に集められたアウト球は化粧板２１を貫通するアウト球通路孔を通って遊技盤２０の裏面側に排出される。
【００１７】
前枠２の裏側には、裏セット盤ＢＳＰが上下のヒンジ１８，１８で横開き開閉および着脱が可能に装備され、常には閉鎖レバー１９，１９…を利用して遊技盤２０の裏面を覆うように閉鎖保持される。裏セット盤ＢＳＰには、裏セット盤ＢＳＰの中央に設けられた遊技盤２０から突出する画像制御基板（図示せず）を受容する窓口３１の上部に装備されて遊技球の貯留・供給処理を行う球貯留供給機構３２や、窓口３１の右側方に装備されて球貯留供給機構３２から導かれる遊技球の払い出し処理を行う賞球払出機構３３などの賞球機構が設けられるとともに、賞球払出機構３３の下方に位置して同機構３３から払い出された遊技球（「賞球」という）を上・下の球皿６，７に排出するための賞球払出経路３４、窓口３１の下方に位置して遊技盤２０の裏面側に排出されるアウト球およびセーフ球（これらをまとめて「遊技済み球」という）を集合させ、遊技施設側の回収バケットに排出させる遊技済み球排出経路（図示せず）などが形成されている。
【００１８】
また、裏セット盤ＢＳＰの裏面側には、このパチンコ機の作動を統括的に制御する主制御基板９１や、賞球の払出制御を行う賞球制御基板９２、効果照明や効果音の作動制御を行うランプ・音声制御基板９３、各制御基板や電子部品に所定の電力を供給する電源基板９４、複数のコネクタが取り付けられて制御信号や電力の中継等を行う中継基板９５、遊技機の作動状態を遊技施設側に出力するためのターミナル基板９６などの各種回路基板や、賞球カセット９７などの電子部品が取り付けられ、各機器が図示しないワイヤーハーネスで接続される。
【００１９】
図３に示すように、前枠２の後部側下部には打球発射装置９が取り付けられており、打球発射装置９と遊技盤２０との間、すなわち遊技盤２０の直下に位置する前枠２の中間部には、打球発射装置９によって打ち出された遊技球を遊技盤２０の外レール２２ａに向けて案内する発射レール４１や効果音を発生させるスピーカ４４などが取り付けられるとともに、発射レール４１の上端側で上方に開口し下部で下球皿７と繋がるファール口４２、ファール口４２の球通路と連絡し下球皿７に通じる下球皿出口４３、裏機構盤から払い出される賞球の出口である通出口４５などが設けられている。前枠２におけるこれらの領域は遊技補助盤４０と称されており、この遊技補助盤４０の前面を覆うように方形状の上球皿６が横開き開閉自在に組付けられる。
【００２０】
また、遊技補助盤４０の裏面側にアース線７５のケーブル７７が通る凹部４６が形成されており（図２参照）、凹部４６を覆って蓋板４７が取り付けられている。そして凹部４６の底面中央部および右側面には、アース線７５のケーブル７７を挿通させる中央ハーネス通し４６ａおよび右ハーネス通し４６ｂが形成されている。
【００２１】
上球皿６は、遊技補助盤４０の前面を覆うように形成された当て板部６１と、この当て板部６１の正面側に取り付けられ、遊技球を貯留するとともに貯留した賞球（遊技球）を傾斜下方（図１における右方向）に向けて一列に整列させる球皿部６２とを備えて構成され、さらに球皿部６２の下流部には球抜きレバー６２ａが取り付けられている。当て板部６１の裏面側には、球皿部６２で整列された賞球（遊技球）を１個ずつ発射レール４１上に供給する球送り装置６９が取り付けられており、また、球抜きレバー６２ａが操作されたときに遊技球を集合回収口４３を介して下球皿７に排出する球戻し口（図示せず）などが設けられている。当て板部６１の左上部には通出口４５と位置整合して通出樋６５が形成されており、通出口４５から排出される賞球が通出樋６５を通って球皿部６２に導かれるように構成されている。
【００２２】
上球皿６を前枠２における遊技補助盤４０の前面を覆う閉止状態で保持する第一ロック装置７０は、上球皿６の右側部に上球皿６と遊技補助盤４０との間に設けられており、前枠２側に設けられたロック機構７１と、上球皿６における当て板部６１の裏面右側に取り付けられ、ロック機構７１と係合するロック金具７２とを備えて構成されている。
【００２３】
パチンコ機ＰＭは、上球皿６およびガラス扉５が閉止施錠された状態（図１に示す状態）で遊技に供され、上球皿６に遊技球を貯留させて操作ハンドル８を回動操作することにより遊技が開始される。操作ハンドル８の操作レバーが回動操作されると、上球皿６に貯留した遊技球がこの球皿に装備された球送り装置によって１球ずつ発射レール４１上に送出され、打球発射装置９のハンマーに打ち出されて遊技盤２０の遊技領域ＰＡに導かれ、以降パチンコゲームが展開される。
【００２４】
以上概要説明したように、上球皿６は前枠２の左側部に設けられたヒンジ機構により横開き開閉および着脱が可能に取り付けられ、常には上球皿６の右側部に設けられた第一ロック装置および上球皿６の中央部に設けられた第二ロック装置を利用して前枠２における遊技補助盤４０の前面を覆うように閉鎖保持されている。以下に、図４〜図８を加えて参照しながら、第二ロック装置８０について詳細に説明する。なお、図４は第二ロック装置８０を分解した状態を示す斜視図、図５は第二ロック装置８０の取り付け部周辺を上球皿６の正面側から見た状態を示す部分断面拡大図、図６は第二ロック装置８０の取り付け部周辺を上球皿６の裏面側から見た状態を示す部分断面拡大図、図７は第二ロック装置８０の取り付け部周辺を示す平面拡大図（部分断面図）、そして、図８は第二ロック装置８０の取り付け部周辺を示す側面拡大図（部分断面図）である。
【００２５】
第二ロック装置８０は、当て板部６１の裏側に鉛直面内で揺動可能に取り付けられる揺動部材８１と、遊技補助盤４０の前面に揺動部材８１と係合可能に取り付けられる係合ピン８２と、揺動部材８１を枢結する支軸８３と、揺動部材８１が支軸８３の中心軸を中心に揺動し易くするため揺動部材８１とともに取り付けられる金属製の取付座金８４および中間座金８５とから構成され、揺動部材８１が揺動位置から鉛直位置に揺動して係合ピン８２と係合することにより、上球皿６は遊技補助盤４０の前面を覆う閉止状態で保持される。
【００２６】
揺動部材８１は、所定板厚の金属板を切断、折り曲げ、孔あけなどの成形手段により各図に示す形状に形成される。揺動部材８１の中央部には支軸穴８１ａが孔あけ形成されており、この支軸穴８１ａに支軸８３が挿入される。そして、揺動部材８１の下端部には係合口８１ｂが係合ピン８２の係合部８２ａの形状に合わせて切り出し形成されている。また、揺動部材８１の上端部にはＬ字状の指掛け部８１ｃが図５の正面から見て奥側に折り曲げ形成されており、作業者がこの指掛け部８１ｃに指を掛けて揺動部材８１を揺動させやすいように構成されている。なお、感電防止等のため、樹脂材料などの絶縁材料を用いて形成されたキャップ部材を、指掛け部８１ｃに取り付けてもよい。
【００２７】
係合ピン８２は、金属製の丸棒からねじ形状に切り出し成形され、この係合ピン８２の一端に側面視Ｈ形状の係合部８２ａが、揺動部材８１の下端部に形成された係合口８１ｂと係合可能に形成されている。また、係合ピン８２の他端には、端子接続部８２ｂがアース線７５のキャップ型端子７６と接続可能に形成されている。
【００２８】
アース線７５は、多芯の撚り線構成からなる金属導体層の表面に絶縁被覆が施されたケーブル７７と、その一端に圧着接続されたキャップ型端子７６とを有して構成され、キャップ型端子７６が係合ピン８２の端子接続部８２ｂに接続され、ケーブル７７の他端７８が例えばターミナル基盤９６のアース端子９８に接続されて係合ピン８２をアース電位に地絡可能に構成されている。アース線７５のケーブル７７は、第二ロック装置８０のロック動作の邪魔になったり、遊技球の流れを阻害したりしないように、遊技補助盤４０の裏面側を通して配線される。なお、この配線経路については後述する。
【００２９】
支軸８３は金属製の丸棒からねじ形状に切り出し成形され、支軸８３側から、取付座金８４、揺動部材８１、中間座金８５、そして球皿部６２に設けられた球誘導レール６３の部材接続部６３ａの順で、それぞれを当て板部６１の裏側に形成された当て板部取付ボス６７に共締め固定するとともに、揺動部材８１を揺動可能に支持する。
【００３０】
球皿部６２は、その主要部が例えばＡＢＳ樹脂等の樹脂材料を用いて射出成形等の成形手段により形成されており、当て板部６１の正面側にねじ等で固定され、賞球（遊技球）を貯留するとともに貯留した賞球（遊技球）を傾斜下方（図５における右方向）に向けて一列に整列させる。そして、球皿部６２の上縁部に沿って、通出口４５から排出されるまでの経路で帯電した賞球（遊技球）の電位を受け取る球誘導レール６３が取り付けられている。
【００３１】
球誘導レール６３は、所定板厚の金属薄板を用い、切断、折り曲げ、孔あけ等の成形手段により各図に示す形状に形成され、必要に応じて所定の表面処理を施して構成される。また、球誘導レール６３は球皿部６２の上縁部を覆うように断面視コの字状に折り曲げ形成されており、球皿部６２の上縁部に嵌め込まれて固定されるか、もしくは接着剤などで固定される。そして、球誘導レール６３が球皿部６２の上縁部に取り付けられた状態で、球誘導レール６３の上面が球皿部６２の底面とほぼ同一面上になるように構成されている。球誘導レール６３にはさらに、揺動部材８１と電気的に接続されるようにするため、部材接続部６３ａが球誘導レール６３の途中から垂直に伸びて一体に折り曲げ形成されており、部材接続部６３ａの先端に孔あけ形成された部材接続穴６３ｂに支軸８３が挿入されて、当て板部６１の裏面側に形成された当て板部取付ボス６７に揺動部材８１等と共締め固定される。
【００３２】
当て板部６１は、その主要部が例えばＡＢＳ樹脂等の樹脂材料を用いて射出成形等の成形手段により、遊技補助盤４０の前面を覆うように形成されている。当て板部６１の中央部には貫通口６４が形成され、当て板部６１の正面側に球皿部６２が取り付けられた状態で、球誘導レール６３に一体形成された部材接続部６３ａが貫通口６４を通り抜けて当て板部６１の裏面側に位置するように構成されている。
【００３３】
当て板部６１の左上部には通出口４５と位置整合して通出樋６５が形成されており、通出口４５から排出される賞球が通出樋６５を通って球皿部６２に導かれるように構成されている。そして、通出樋６５には通出口４５から排出されるまでの経路で帯電した賞球（遊技球）の電位を受け取る通出樋用アース板６６が取り付けられている。通出樋用アース板６６は所定板厚の金属薄板を用い、切断、折り曲げ等の成形手段により形成され、必要に応じて所定の表面処理を施して構成される。また、通出樋用アース板６６は通出樋６５の内部底面および内部側面を覆い、さらに通出樋６５の内部底面から当て板部６１の正面側に沿って鉛直下方に伸びるように形成され、当て板部６１の正面側に球皿部６２が取り付けられた状態で、球誘導レール６３と当接して電気的に接続されるように構成されている。
【００３４】
当て板部６１の裏面側中央部には当て板部取付ボス６７がねじ孔を有して形成されており、この当て板部取付ボス６７に、当て板部取付ボス６７側から部材接続部６３ａ、中間座金８５、揺動部材８１、そして取付座金８４の順で、それぞれが支軸８３に共締め固定されるとともに、揺動部材８１が支軸８３を中心として揺動可能に支持される。そして、球誘導レール６３に一体形成された部材接続部６３ａが中間座金８５と常に接触し、さらに中間座金８５が揺動部材８１と常に接触しているため、球誘導レール６３と揺動部材８１は電気的に接続される。
【００３５】
また、当て板部６１の裏面側上部には、当て板部６１の裏面側に配線されたワイヤーハーネス（図示せず）などを保護するためのハーネス押さえ６８が設けられており、揺動部材８１が支軸取付ボス部６７に取り付けられた状態で、揺動部材８１はハーネス押さえ６８と当て板部６１の隙間を通り抜け、揺動部材８１の上端部、すなわち指掛け部８１ｃがハーネス押さえ６８の上端部に位置するように形成されている。そしてハーネス押さえ６８の上端部には、指掛け部８１ｃがハーネス押さえ６８の上端部と干渉しないように切り欠き６８ａが形成されており、これにより指掛け部８１ｃがハーネス押さえ６８と干渉することなく揺動部材８１を揺動させることができるとともに、揺動部材８１が揺動する範囲を規制して揺動操作を容易にすることができる。
【００３６】
遊技補助盤４０の前面中央部には、取付孔４８がねじ孔を有して形成されており、この取付孔４８には係合ピン８２が取り付けられている。さらに取付孔４８は、取付孔４８に係合ピン８２が取り付けられた状態で、端子接続部８２ｂが遊技補助盤４０の内部空間に突出するように構成される。そして、遊技補助盤４０の内部空間に突出した端子接続部８２ｂにキャップ型端子７６が接続される。また、遊技補助盤４０の裏面側にはアース線７５のケーブル７７が通る凹部４６が形成されており、凹部４６を覆って蓋板４７が取り付けられている。そして凹部４６の底面中央部および右側面には、アース線７５のケーブル７７を挿通させる中央ハーネス通し４６ａおよび右ハーネス通し４６ｂが形成される。
【００３７】
ところで、上球皿６を前枠２に対して開閉自在に支持するヒンジ機構は、図３、図５および図６に示すように、前枠２の左側部における上下中間位置に取り付けられた上部ヒンジ部材５１、前枠２の左下部に取り付けられた下部ヒンジ部材５２、当て板部６１の左上部裏側に形成された軸穴部５３、当て板部６１の左下部裏側に形成された軸受部５４、軸受部５４に支持される支軸５５などで構成され、これにより上球皿６が横開き開閉および着脱可能に支持される。
【００３８】
当て板部６１が遊技補助盤４０の前面を覆う状態で、揺動部材８１を揺動位置から鉛直位置に揺動させると、揺動部材８１の下端部に形成された係合口８１ｂが係合ピン８２の頭部に形成された係合部８２ａに位置して係合する。これにより、上球皿６の中央部に設けられた第二ロック装置８０によって上球皿６が遊技補助盤４０の前面を覆う閉止状態で保持される。このとき、側面視Ｈ形状に形成された係合部８２ａの内側側面が、板状に形成された揺動部材８１の表裏両面と接触するガイドとなっているため、係合口８１ｂが係合部８２ａと係合した状態で揺動部材８１は係合ピン８２と電気的に接続される。そのため、係合口８１ｂが係合部８２ａと係合することにより、球誘導レール６３および通出樋用アース板６６とアース端子９８は電気的に接続される。これにより、通出口４５から排出されるまでの経路で帯電した賞球（遊技球）は球誘導レール６３および通出樋用アース板６６と接触し、賞球（遊技球）が球皿部６２で整列されて球送り装置６９に至るまでの過程でアース電位に地絡され、電位的に安定した状態で発射レール４１上に供給される。
【００３９】
このため、以上のような構成のロック装置によれば、上球皿６の右側部に第一ロック装置が設けられるのに加え、上球皿６の中央部にも第二ロック装置８０が設けられるため、上球皿６の中央部を撓ませることが困難であることから、上球皿６を故意に変形させて不正操作を行うことを防止することができる。また、第二ロック装置８０をロックすることにより球誘導レール６３および通出樋用アース板６６とアース端子９８が電気的に接続されるため、球皿部６２に設けられた球誘導レール６３にアース線を接続してアース端子９８と結線する必要がなくなり、簡潔にアース接続を行うことができる。
【００４０】
なお、上述の実施形態において、係合ピン８２の頭部に側面視Ｈ形状の係合部８２ａが係合口８１ｂと係合可能に形成され、この係合部８２ａの内側側面が板状に形成された揺動部材８１の表裏両面と接触するガイドとなっているが、これに限られるものではなく、揺動部材側にガイドを設けてもよい。例えば図９に示すように、揺動部材１８１の下端部に形成された係合口１８１ｂに断面視コの字状のガイド１８１ｄがさらに形成され、このガイド１８１ｄの内部側面が係合部１８２ａを有してねじ形状に切り出し成形された係合ピン１８２の頭部の表裏両面と接触するように構成されていれば、同様の効果を得ることができる。
【００４１】
次に、第二ロック装置の第二実施形態について図１０〜図１２を参照して説明する。ここで、図１０は第二ロック装置２８０を分解した状態を示す斜視図、図１１は第二ロック装置２８０の取り付け部周辺を上球皿６が開いた状態で遊技補助盤４０の前面側から見た状態を示す部分断面拡大図、そして、図１２は第二ロック装置２８０の取り付け部周辺を示す側面拡大図（部分断面図）である。なお、本実施例の第二ロック装置２８０は、上述した第一実施例の第二ロック装置８０と遊技補助盤４０の一部形状のみ異なり、他の装置構成は同様であるため同一部位に同一番号を付して重複説明を省略する。
【００４２】
本実施例における第二ロック装置２８０は、遊技補助盤４０の前面に上下動可能に取り付けられる上下動部材２８１と、当て板部６１の裏側に上下動部材２８１と係合可能に取り付けられる係合ピン２８２と、上下動部材２８１を上下動可能に固定するとともに上下動部材２８１の下動範囲を規制する上部ねじ２８３と、上下動部材２８１を上下動可能に固定するとともに上下動部材２８１の上動範囲を規制する下部ねじ２８４と、上下動部材２８１を上下動し易くするため上部ねじ２８３および下部ねじ２８４とともに取り付けられる金属製の上部座金２８５および下部座金２８６とから構成され、上下動部材２８１が上動位置から下動して係合ピン２８２と係合することにより、上球皿６は遊技補助盤４０の前面を覆う閉止状態で保持される。
【００４３】
上下動部材２８１は、所定板厚の金属板を切断、折り曲げ、孔あけなどの成形手段により各図に示す形状に形成される。上下動部材２８１の中央部には長穴２８１ａが孔あけ形成されており、この長穴２８１ａに上部ねじ２８３および下部ねじ２８４が挿入される。そして、上下動部材２８１の下端部には、係合口２８１ｂが係合ピン２８２の係合部２８２ａの形状に合わせて切り出し形成されており、さらに、係合口２８１ｂが係合部２８２ａに位置して係合する際にガイドとしての役割を果たす係合部ガイド２８１ｄが、係合口２８１ｂから下方に伸びてハの字状に形成されている。また、上下動部材２８１の上端部にはＬ字状の指掛け部２８１ｃが図１１の正面から見て手前側に折り曲げ形成されており、作業者がこの指掛け部２８１ｃに指を掛けて上下動部材２８１を上下動させやすいように構成されている。なお、感電防止等のため、樹脂材料などの絶縁材料を用いて形成されたキャップ部材を、指掛け部２８１ｃに取り付けてもよい。
【００４４】
係合ピン２８２は、金属製の丸棒からねじ形状に切り出し成形され、この係合ピン２８２の頭部に係合部２８２ａが、上下動部材２８１の下端部に形成された係合口２８１ｂと係合可能に形成されている。そして係合ピン２８２は、球誘導レール６３の途中から垂直に伸びて一体に折り曲げ形成された部材接続部６３ａを、当て板部６１の裏面側中央部に形成された当て板部取付ボス６７に固定する。このとき、係合ピン２８２が部材接続部６３ａと常に接触するため、係合ピン２８２と球誘導レール６３は電気的に接続される。
【００４５】
上部ねじ２８３は金属製の丸棒からねじ形状に切り出し成形され、上部座金２８５とともに上下動部材２８１を遊技補助盤４０の前面側に形成された上部取付ボス２４８に上下動可能に固定する。そして、下部ねじ２８４は金属製の丸棒からねじ形状に切り出し成形され、下部座金２８６とともに上下動部材２８１を遊技補助盤４０の前面側に形成された下部取付ボス２４９に上下動可能に固定する。また、下部ねじ２８４の先端部分には、端子接続部２８４ａがアース線７５のキャップ型端子７６と接続可能に形成されている。そして、アース線７５のキャップ型端子７６が下部ねじ２８４の端子接続部２８４ａに接続され、アース線７５のケーブル７７の他端７８が例えばターミナル基盤９６のアース端子９８に接続されて、アース線７５が下部ねじ２８４をアース電位に地絡可能に構成されている。なお、下部ねじ２８４に端子接続部２８４ａがキャップ型端子７６と接続可能に形成されているが、これに限られるものではなく、上部ねじ２８３に端子接続部がキャップ型端子７６と接続可能に形成され、キャップ型端子７６と接続されるようにしてもよい。
【００４６】
遊技補助盤４０の前面中央部には、前述の実施例における取付孔４８に替わり、上部取付ボス２４８および下部取付ボス２４９がねじ孔を有して形成されている。そして上部取付ボス２４８および下部取付ボス２４９には、上下動部材２８１が上部ねじ２８３および下部ねじ２８４によりそれぞれ上下動可能に固定される。さらに下部取付ボス２４９は、下部取付ボス２４９に下部ねじ２８４が取り付けられた状態で、端子接続部２８４ａが遊技補助盤４０の内部空間に突出するように構成される。そして、遊技補助盤４０の内部空間に突出した端子接続部２８４ａにキャップ型端子７６が接続される。
【００４７】
上下動部材２８１が上部ねじ２８３および下部ねじ２８４により上下動可能に固定された状態では、上下動部材２８１を上動させると長穴２８１ａの下端部が下部ねじ２８４と当接し、上下動部材２８１を下動させると長穴２８１ａの上端部が上部ねじ２８３と当接することにより、上下動部材２８１の上下動範囲が規制される。また、下部ねじ２８４が金属製の下部座金２８６と常に接触し、さらに下部座金２８６が上下動部材２８１と常に接触しているため、上下動部材２８１と下部ねじ２８４は電気的に接続される。
【００４８】
遊技補助盤４０の前面中央部における上部取付ボス２４８および下部取付ボス２４９の左右両側には、上下動部材２８１の左右の動きを規制する規制ガイド２５０が形成されており、これにより上下動部材２８１を上下動させたときに上下動部材２８１が左右に動くことがないため、容易に上下動部材２８１を係合ピン２８２に係合させることができる。
【００４９】
当て板部６１が遊技補助盤４０の前面を覆う状態で、上下動部材２８１を上動位置から下動させると、上下動部材２８１の下端部に形成された係合口２８１ｂが係合ピン２８２の頭部に形成された係合部２８２ａに位置して係合する。これにより、上球皿６の中央部に設けられた第二ロック装置２８０によって上球皿６が遊技補助盤４０の前面を覆う閉止状態で保持される。このとき、係合口２８１ｂと係合部２８２ａとが接触した状態であるため、係合口２８１ｂが係合部２８２ａと係合した状態で上下動部材２８１と係合ピン２８２は電気的に接続される。そのため、係合口２８１ｂが係合部２８２ａと係合することにより、球誘導レール６３および通出樋用アース板６６とアース端子９８は電気的に接続される。これにより、通出口４５から排出されるまでの経路で帯電した賞球（遊技球）は球誘導レール６３および通出樋用アース板６６と接触し、賞球（遊技球）が球皿部６２で整列されて球送り装置６９に至るまでの過程でアース電位に地絡され、電位的に安定した状態で発射レール４１上に供給される。なお、係合口２８１ｂから下方に伸びてハの字状に形成された係合部ガイド２８１ｄが、上下動部材２８１が上動位置から下動し、係合口２８１ｂが係合部２８２ａに位置して係合する際にガイドとしての役割を果たすため、円滑に係合口２８１ｂが係合部２８２ａと係合できるようになっている。
【００５０】
以上のような構成のロック装置によれば、上球皿６の右側部に第一ロック装置が設けられるのに加え、上球皿６の中央部にも第二ロック装置２８０が設けられるため、上球皿６の中央部を撓ませることが困難であることから、上球皿６を故意に変形させて不正操作を行うことを防止することができる。また、第二ロック装置２８０をロックすることにより球誘導レール６３および通出樋用アース板６６とアース端子９８が電気的に接続されるため、球皿部６２に設けられた球誘導レール６３にアース線を接続してアース端子９８と結線する必要がなくなり、簡潔にアース接続を行うことができる。
【００５１】
なお、第二ロック装置の第二実施形態において、上下動部材２８１を上動位置から下動させて係合ピン２８２と係合させているが、これに限られるものではなく、例えば図１３に示すように、揺動部材３８１を揺動位置から鉛直位置に揺動させて係合ピン２８２と係合させるようにしてもよい。すなわち、揺動部材３８１がその中央部に支軸３８３が挿入される支軸穴（図示せず）、下端部に係合ピン２８２と係合する係合口３８１ｂ、そして上端部にＬ字状の指掛け部８１ｃを有して所定板厚の金属板から切断、折り曲げ、孔あけなどの成形手段により図１３に示す形状に形成され、先端部分にキャップ型端子７６と接続可能に形成された端子接続部３８３ａを有してねじ形状に形成された金属製の支軸３８３により、揺動部材３８１が金属製の取付座金３８４とともに下部取付ボス２４９に枢結されるようにすれば、同様の効果を得ることができる。
【００５２】
また、上述の各実施形態において、通出樋６５には通出樋用アース板６６が取り付けられているが、例えば図１４に示すように、賞球口４５内部底面に賞球口４５の内部底面を覆うとともに通出樋用アース板６６と接触するように形成された賞球口用アース板４５ａを設けてもよく、さらに、賞球払出経路３４の内部底面に賞球払出経路３４の内部底面を覆うとともに賞球口用アース板４５ａと接触するように形成された賞球払出経路用アース板３４ａを設けてもよい。このようにすれば、球誘導レール６３と通出樋用アース板６６に加え、賞球口用アース板４５ａおよび賞球払出経路用アース板３４ａがそれぞれ電気的に接続されるため、賞球（遊技球）が各アース板と接触する機会が多くなり、より効果的に賞球（遊技球）をアース電位に地絡させることができる。
【００５３】
なお、第二ロック装置の第一実施形態において、揺動部材８１が当て板部６１の裏側に鉛直面内で揺動可能に取り付けられ、係合ピン８２が遊技補助盤４０の前面に揺動部材８１と係合可能に取り付けられているが、これに限られるものではなく、係合ピン８２が当て板部６１の裏側に揺動部材８１と係合可能に取り付けられ、揺動部材８１が遊技補助盤４０の前面に鉛直面内で揺動可能に取り付けられるようにしてもよい。また、第二ロック装置の第二実施形態において、上下動部材２８１が遊技補助盤４０の前面に上下動可能に取り付けられ、係合ピン２８２が当て板部６１の裏側に上下動部材２８１と係合可能に取り付けられているが、これに限られるものではなく、係合ピン２８２が遊技補助盤４０の前面に上下動部材２８１と係合可能に取り付けられ、上下動部材２８１が当て板部６１の裏側に上下動可能に取り付けられるようにしてもよい。
【００５４】
【発明の効果】
以上説明したように、本発明による弾球遊技機のアース接続機構によれば、上球皿の端部に第一ロック装置が設けられるのに加え上球皿の中央部にも第二ロック装置が設けられるため、上球皿の中央部を撓ませることが困難であることから、上球皿を故意に変形させて不正操作を行うことを防止することができる。また、第二ロック装置をロックすることによりアース板金とアース端子とが電気的に接続されるため、上球皿に設けられたアース板金にアース線を接続してアース端子と結線する必要がなくなり、簡潔にアース接続を行うことができる。
【図面の簡単な説明】
【図１】本発明に係る弾球遊技機の一例として示すパチンコ機の正面図である。
【図２】上記パチンコ機の裏面側を示す背面図である。
【図３】上記パチンコ機におけるガラス扉と上球皿とを開放した状態を示す正面図である。
【図４】第一実施例のロック装置における第二ロック装置の構成を示す分解斜視図である。
【図５】第一実施例のロック装置において、第二ロック装置の取り付け部周辺を示す正面図（部分断面拡大図）である。
【図６】第一実施例のロック装置において、第二ロック装置の取り付け部周辺を示す背面図（部分断面拡大図）である。
【図７】第一実施例のロック装置において、第二ロック装置の取り付け部周辺を示す平面図（部分断面拡大図）である。
【図８】第一実施例のロック装置において、第二ロック装置の取り付け部周辺を示す側面図（部分断面拡大図）である。
【図９】第一実施例のロック装置において、第二ロック装置の別形態を示す平面図（部分断面拡大図）である。
【図１０】第二実施例のロック装置における第二ロック装置の構成を示す分解斜視図である。
【図１１】第二実施例のロック装置において、第二ロック装置の取り付け部周辺を示す正面図（部分断面拡大図）である。
【図１２】第二実施例のロック装置において、第二ロック装置の取り付け部周辺を示す側面図（部分断面拡大図）である。
【図１３】第二実施例のロック装置において、第二ロック装置の別形態を示す斜視図である。
【図１４】アース板金の別形態を示す側面図（断面拡大図）である。
【符号の説明】
ＢＳＰ  裏セット盤
ＰＡ  遊技領域
ＰＭ  パチンコ機
１  外枠
２  前枠
３ａ，３ｂ  ヒンジ部材
４  施錠装置
５  ガラス扉
６  上球皿
７  下球皿
８  操作ハンドル
９  打球発射装置
１７  係合レバー
１８  ヒンジ
１９  閉鎖レバー
２０  遊技盤
２１  化粧板
２２ａ  外レール
２２ｂ  内レール
２３  風車
２４  一般入賞具
２５  始動入賞具
２６  大入賞口
２７  アウト口
２８  図柄表示装置
３０  基枠体
３１  窓口
３２  球貯留供給機構
３３  賞球払い出し機構
３４  賞球払い出し経路
３４ａ  賞球払い出し経路用アース板
４０  遊技補助盤
４１  発射レール
４２  ファール口
４３  下球皿出口
４４  スピーカ
４５  通出口
４６  凹部
４６ａ  中央ハーネス通し
４６ｂ  右ハーネス通し
４７  蓋板
４８  取付孔（第一実施例）
５１  上部ヒンジ部材
５２  下部ヒンジ部材
５３  軸穴部
５４  軸受部
５５  支軸
６１  当て板部
６２  球皿部
６２ａ  球抜きレバー
６３  球誘導レール
６３ａ  部材接続部
６３ｂ  部材接続穴
６４  貫通口
６５  通出桶
６６  通出桶用アース板
６７  当て板部取付ボス
６８  ハーネス押さえ
６８ａ  切り欠き
６９  球送り装置
７０  第一ロック装置
７１  ロック機構（第一ロック装置）
７２  ロック金具（第一ロック装置）
７５  アース線
７６  キャップ型端子
７７  ケーブル
７８  他端
８０  第二ロック装置（第一実施例）
８１  揺動部材
８１ａ  支軸穴
８１ｂ  係合口
８１ｃ  指掛け部
８２  係合ピン
８２ａ  係合部
８２ｂ  端子接続部
８３  支軸
８４  取付座金
８５  中間座金
９１  主制御基板
９２  賞球制御基板
９３  ランプ・音声制御基板
９４  電源基板
９５  中継基板
９６  ターミナル基板
９７  賞球カセット
９８  アース端子
１８１  揺動部材（第一実施例の別形態）
１８１ｂ  係合口
１８１ｄ  ガイド
１８２  係合ピン（第一実施例の別形態）
１８２ａ  係合部
２４８  上部取付ボス（第二実施例）
２４９  下部取付ボス（第二実施例）
２５０  規制ガイド（第二実施例）
２８０  第二ロック装置（第二実施例）
２８１  上下動部材
２８１ａ  長穴
２８１ｂ  係合口
２８１ｃ  指掛け部
２８１ｄ  係合部ガイド
２８２  係合ピン
２８２ａ  係合部
２８３  上部ねじ
２８４  下部ねじ
２８４ａ  端子接続部
２８５  上部座金
２８６  下部座金
３８１  揺動部材（第二実施例の別形態）
３８１ｂ  係合口
３８１ｃ  指掛け部
３８３  支軸（第二実施例の別形態）
３８３ａ  端子接続部
３８４    取付座金（第二実施例の別形態）
【図１】
0003954381.tif 000002
【図２】
0003954381.tif 000003
【図３】
0003954381.tif 000004
【図４】
0003954381.tif 000005
【図５】
0003954381.tif 000006
【図６】
0003954381.tif 000007
【図７】
0003954381.tif 000008
【図８】
0003954381.tif 000009
【図９】
0003954381.tif 000010
【図１０】
0003954381.tif 000011
【図１１】
0003954381.tif 000012
【図１２】
0003954381.tif 000013
【図１３】
0003954381.tif 000014
【図１４】
0003954381.tif 000015